(57)【特許請求の範囲】
【請求項１】
表面材と裏面材とで合成樹脂発泡体からなる芯材をサンドイッチし、端部に雄雌連結構造を形成した建築用パネルにおいて、少なくとも雄雌連結構造部分の連結部裏面に、平板状の不燃ボードを表面材に対して傾斜して形成していることを特徴とする建築用パネル。
【発明の詳細な説明】
【０００１】
【発明の属する技術分野】
本発明は防火性能、耐火性能を必要とする建築、構築物の内壁材、外壁材、屋根材、天井材、床材、間仕切り材、あるいは防火戸等として使用でき、かつ軽量で、機械強度のある長尺状の建築用パネルに関するものである。
【０００２】
【従来の技術】
一般に、薄板状の表面材と裏面材にて合成樹脂発泡体からなる芯材をサンドイッチした建築用パネルは数多く発明、考案されて上市されている。
【０００３】
【発明が解決しようとする課題】
しかしながら、芯材として合成樹脂発泡体を用いたパネルでは、防火性能に課題があり、パネル単体で耐火構造を取得するには困難性があった。さらに、表面材と芯材との接着性が弱く、表面材や裏面材との一体化に課題があった。
【０００４】
【課題を解決するための手段】
本発明はこのような課題を解決するため、表面材と裏面材とで合成樹脂発泡体からなる芯材をサンドイッチし、端部に雄雌連結構造を形成した建築用パネルにおいて、少なくとも雄雌連結構造部分の連結部裏面に、傾斜した不燃ボードが形成されている建築用パネルを提案するものである。
【０００５】
本発明はこのような課題を解決するため、表面材と裏面材とで合成樹脂発泡体からなる芯材をサンドイッチし、端部に雄雌連結構造を形成した建築用パネルにおいて、少なくとも雄雌連結構造部分の連結部裏面に、平板状の不燃ボードを表面材に対して傾斜して形成している建築用パネルを提案するものである。
【０００６】
表面材１、裏面材２は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したもの、さらには、アルミニウム蒸着紙、アスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものである。
【０００７】
また、芯材３はポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、例えばレゾール型フェノールの原液と、硬化剤、発泡剤を混合し、表面材１、もしくは裏面材２の裏面側に吐出させ、加熱して反応・発泡・硬化させて形成したものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることもできる。
【０００８】
６は不燃パッキング材、７は防水パッキング材、８は不燃ボードであり、耐火性、防水性、気密性、等の向上のために形成したものである。
【０００９】
不燃パッキング材６は、例えばロックウールフェルト、セラミックウール等よりなり、連結部間に間隙が形成されるのを防止して火炎の浸入を遮断し、主に耐火材、気密材等の機能として有用なものである。
【００１０】
防水パッキング材７は、例えば定型で弾性のあるパッキング材としては、例えばポリ塩化ビニル系、クロロプレン系、クロロスルホン化ポリエチレン系、エチレンプロピレン系、アスファルト含浸ポリウレタン系、ＥＰＭ、ＥＰＤＭ等の一般的に市販されているものである。また、硬化型のパッキング材（シーリング材）としてはシリコーン系（反応硬化型、湿気硬化型）、変成シリコーン系（反応硬化型）、ポリサルファイド系（反応硬化型）、ポリウレタン系（反応硬化型、湿気硬化型）、ＳＢＲ系（乾燥硬化型）、アクリル系（乾燥硬化型）等よりなるものであり、主に防水材、気密材等の機能として有用なものである。勿論、これらの成分中に無機材等の難燃材、あるいは耐火性、防火性を有する例えばポリリン酸アンモニウム、水酸化アルミニウム、フェノール樹脂粒、カーボンブラック、グラファイト（発泡、非発泡）等の難燃材を混入した耐火性のあるパッキング材を使用しても良いものである。
【００１１】
不燃ボード８は、連結部の防火性の強化のため用いるもので、例えばケイ酸カルシウム板、炭酸カルシウム板、石膏ボード、パーライトセメント板、ロックウール板、スレート板、ＡＬＣ板、ＰＣ板、その他の無機質軽量体、無機質軽量発泡体、あるいはこれらの複合板の１種以上、もしくは超高密度樹脂（高密度のフェノールフォーム等）を建築用パネルＡの雄型連結部４、雌型連結部５に一体に介在させるものである。勿論、図に示すように雄型連結部４、雌型連結部５の両方に形成したり、一方に形成したりすることができるものである。
【００１２】
不燃ボード８は図では雌型連結部５側裏面に傾斜して形成することにより、建築用パネルＡの全幅に亘って形成した状態とし、耐火性を向上するものである。勿論、雄型連結部４側に形成しても良いものである。また、雄型連結部４と雌型連結部５の両方に不燃ボード８を形成する場合には、どちらか一方が傾斜して形成されていれば良いものである。
【００１３】
以上説明したのは、本発明に係る建築用パネルＡの一実施例にすぎず、図４（ａ）〜（ｃ）〜図１０（ａ）〜（ｃ）に示す建築用パネルＡとすることができるものである。
【００１４】
【発明の効果】
上述したように本発明に係る建築用パネルによれば、不燃ボードが連結部裏面に傾斜した状態で形成されるために、▲１▼耐火性能が向上する。▲２▼建築用パネルの機械強度が従前より大幅に向上する。▲３▼表面材をアルミニウム、芯材をイソシアヌレートフォームとした場合でも防火構造を取得できる。等の特徴、効果がある。
【図面の簡単な説明】
【図１】本発明に係る建築用パネルの代表的な一例を示す説明図である。
【図２】本発明に係る建築用パネルの施工状態を示す説明図である。
【図３】本発明に係る建築用パネルの不燃ボードの一実施例を示す説明図である。
【図４】本発明に係る建築用パネルのその他の実施例を示す説明図である。
【図５】本発明に係る建築用パネルのその他の実施例を示す説明図である。
【図６】本発明に係る建築用パネルのその他の実施例を示す説明図である。
【図７】本発明に係る建築用パネルのその他の実施例を示す説明図である。
【図８】本発明に係る建築用パネルのその他の実施例を示す説明図である。
【図９】本発明に係る建築用パネルのその他の実施例を示す説明図である。
【図１０】本発明に係る建築用パネルのその他の実施例を示す説明図である。
【符号の説明】
Ａ  建築用パネル
α  躯体
β  固定具
１  表面材
２  裏面材
３  芯材
４  雄型連結部
５  雌型連結部
６  不燃パッキング材
７  防水パッキング材
８  不燃ボード
【図１】
0004633284.tif 000002
【図２】
0004633284.tif 000003
【図３】
0004633284.tif 000004
【図４】
0004633284.tif 000005
【図５】
0004633284.tif 000006
【図６】
0004633284.tif 000007
【図７】
0004633284.tif 000008
【図８】
0004633284.tif 000009
【図９】
0004633284.tif 000010
【図１０】
0004633284.tif 000011